(57)【要約】  複数の測定ギャップパターン（ＭＧＰ）の適応性のある実装が論じられる。１つの例示的な装置がｅＮＢの中で使用されてよく、本装置は、１つ又は複数のキャリアの第１のセットに関連付けられた第１のＭＧＰ、及び１つ又は複数のキャリアの第２のセットに関連付けられた別の第２のＭＧＰを決定し、第１のＭＧＰ及び第２のＭＧＰに関連付けられたユーザ機器（ＵＥ）のスケジュールを決定し、第１のセット及び第２のセットの各キャリアに優先順位を割り当てるプロセッサと、第１のＭＧＰ、第２のＭＧＰ、及びスケジュールを構成する１つ又は複数のメッセージをＵＥに送信し、割り当てられた優先順位、並びに第１のセット及び第２のセットのキャリアを示す１つ又は複数のメッセージを送信する送信機回路と、第１のセット又は第２のセットの少なくとも１つのキャリアに関連付けられたＵＥから、キャリア測定値を受信する受信機回路とを備える。
2018517322.tif 000002
【特許請求の範囲】
【請求項１】
進化型ＮｏｄｅＢ（ｅＮＢ）の中で使用される装置であって、
１つ又は複数のキャリアの第１のセットに関連付けられた第１の測定ギャップパターン、及び１つ又は複数のキャリアの第２のセットに関連付けられた別の第２の測定ギャップパターンを決定し、
前記第１の測定ギャップパターン及び前記第２の測定ギャップパターンに関連付けられたユーザ機器（ＵＥ）のスケジュールを決定し、
前記第１のセット及び前記第２のセットの各キャリアに優先順位を割り当てる
プロセッサと、
前記第１の測定ギャップパターン、前記第２の測定ギャップパターン、及び前記スケジュールを構成する１つ又は複数のメッセージを前記ＵＥに送信し、割り当てられた前記優先順位、並びに前記第１のセット及び前記第２のセットの前記１つ又は複数のキャリアを示す１つ又は複数のメッセージを送信する送信機回路と、
前記第１のセット又は前記第２のセットの少なくとも１つのキャリアに関連付けられた前記ＵＥから、少なくとも１つのキャリア測定値を受信する受信機回路と
を備える装置。
【請求項２】
前記第１の測定ギャップパターンは、第１の測定ギャップ繰り返し周期（ＭＧＲＰ）に少なくとも部分的に基づいており、前記第２の測定ギャップパターンは、第２のＭＧＲＰに少なくとも部分的に基づいており、前記第２のＭＧＲＰは前記第１のＭＧＲＰと異なる、請求項１に記載の装置。
【請求項３】
前記スケジュールは静的に構成される、請求項１に記載の装置。
【請求項４】
前記スケジュールは、前記第１の測定ギャップパターンに関連付けられた第１の期間に続いて、前記第２の測定ギャップパターンに関連付けられた第２の期間を含む、請求項１から３のいずれか一項に記載の装置。
【請求項５】
前記スケジュールは、Ｎ×４０のサブフレーム長を有し、Ｎは正の整数である、請求項４に記載の装置。
【請求項６】
前記第１の期間は、Ｎ１×４０のサブフレーム長を有し、Ｎ１は正の整数である、請求項４に記載の装置。
【請求項７】
前記第２の期間は、Ｎ２×４０のサブフレーム長を有し、Ｎ２は正の整数である、請求項４に記載の装置。
【請求項８】
１つ又は複数のキャリアの前記第１のセットは、測定ギャップ繰り返し周期（ＭＧＲＰ）に関連付けられた１つ又は複数の標準性能グループ（ＮＰＧ）キャリアを含む、請求項１から３のいずれか一項に記載の装置。
【請求項９】
１つ又は複数のキャリアの前記第１のセットは、測定ギャップ繰り返し周期（ＭＧＲＰ）に関連付けられた１つ又は複数の縮小性能グループ（ＲＰＧ）キャリアを含む、請求項１から３のいずれか一項に記載の装置。
【請求項１０】
命令を含む機械可読媒体であって、前記命令は実行された場合、進化型ＮｏｄｅＢ（ｅＮＢ）に、
１つ又は複数の標準性能グループ（ＮＰＧ）キャリア用の第１の測定ギャップパターン、及び１つ又は複数の縮小性能グループ（ＲＰＧ）キャリア用の第２の測定ギャップパターンを決定させ、
前記第１の測定ギャップパターン及び前記第２の測定ギャップパターン用にユーザ機器（ＵＥ）を構成させ、
前記１つ又は複数のＮＰＧキャリア及び前記１つ又は複数のＲＰＧキャリア用の優先順位リストを決定させ、
前記１つ又は複数のＮＰＧキャリア、前記１つ又は複数のＲＰＧキャリア、及び決定した前記優先順位リストを示す１つ又は複数のメッセージを前記ＵＥに送信させ、
前記第２の測定ギャップパターンを実装する要求を前記ＵＥから受信させ、
前記第２の測定ギャップパターンを実装する応答を前記ＵＥに送信させる
機械可読媒体。
【請求項１１】
前記優先順位リストは、第１の無線リソース制御（ＲＲＣ）メッセージを介して送信される、請求項１０に記載の機械可読媒体。
【請求項１２】
前記優先順位リストは、前記１つ又は複数のＮＰＧキャリア及び前記１つ又は複数のＲＰＧキャリアの測定順序を少なくとも部分的に定義する、請求項１０に記載の機械可読媒体。
【請求項１３】
前記命令はさらに、実行された場合、前記ｅＮＢに、前記第１の測定ギャップパターンに従って前記１つ又は複数のＮＰＧキャリアを測定するかどうか、又は前記第２の測定ギャップパターンに従って前記１つ又は複数のＲＰＧキャリアを測定するかどうかを示すフラグで前記ＵＥを構成させる、請求項１０から１２のいずれか一項に記載の機械可読媒体。
【請求項１４】
前記第２の測定ギャップパターンを実装する前記ＵＥへの前記応答は、前記フラグの値の変化に関するインジケーションを含む、請求項１３に記載の機械可読媒体。
【請求項１５】
前記要求は、第２の無線リソース制御（ＲＲＣ）メッセージを介して受信される、請求項１０から１２のいずれか一項に記載の機械可読媒体。
【請求項１６】
前記第２の無線リソース制御（ＲＲＣ）メッセージは、前記ＵＥと前記ｅＮＢとの間のＲＲＣ接続を再確立する要求を含む、請求項１５に記載の機械可読媒体。
【請求項１７】
前記第２の無線リソース制御（ＲＲＣ）メッセージは、前記ＵＥからの前記第２の測定ギャップパターンを実装する前記要求に関連付けられた専用情報要素（ＩＥ）を含む、請求項１５に記載の機械可読媒体。
【請求項１８】
前記応答は、第３の無線リソース制御（ＲＲＣ）メッセージを介して送信される、請求項１０から１２のいずれか一項に記載の機械可読媒体。
【請求項１９】
ユーザ機器（ＵＥ）の中で使用される装置であって、
１つ又は複数のキャリアの第１のセット、１つ又は複数のキャリアの第２のセット、前記第１のセットに関連付けられた第１の測定ギャップパターン、前記第２のセットに関連付けられた第２の測定ギャップパターン、並びに前記第１の測定ギャップパターン及び前記第２の測定ギャップパターンに関連付けられたスケジュールを示す１つ又は複数のメッセージを、進化型ＮｏｄｅＢ（ｅＮＢ）から受信する受信機回路であって、さらに、前記スケジュールの第１の部分の間に、前記第１の測定ギャップパターンに基づいて前記第１のセットの少なくとも１つのキャリアを測定し、前記スケジュールの第２の部分の間に、前記第２の測定ギャップパターンに基づいて前記第２のセットの少なくとも１つのキャリアを測定する受信機回路と、
前記受信機回路に動作可能に結合され、前記受信機回路により測定されるキャリアごとにダウンリンク（ＤＬ）チャネルメトリックを計算するプロセッサと、
計算された前記ＤＬチャネルメトリックを前記ｅＮＢに送信する送信機回路と
を備える装置。
【請求項２０】
前記第１の測定ギャップパターンは、第１の測定ギャップ繰り返し周期（ＭＧＲＰ）に関連付けられており、前記第２の測定ギャップパターンは、第２のＭＧＲＰに関連付けられており、前記第１のＭＧＲＰは前記第２のＭＧＲＰより短い、請求項１９に記載の装置。
【請求項２１】
前記スケジュールの前記第１の部分はＮ１×４０のサブフレーム長を有し、前記スケジュールの前記第２の部分はＮ２×４０のサブフレーム長を有し、前記スケジュールは（Ｎ１＋Ｎ２）×４０のサブフレーム長を有する、請求項１９に記載の装置。
【請求項２２】
前記受信機回路は、前記第１のセットの前記少なくとも１つのキャリア及び前記第２のセットの前記少なくとも１つのキャリアを、前記ｅＮＢから受信した優先順位リストに少なくとも部分的に基づく順序で測定する、請求項１９から２１のいずれか一項に記載の装置。
【請求項２３】
命令を備えた機械可読媒体であって、前記命令は実行された場合、ユーザ機器（ＵＥ）に、
１つ又は複数のキャリアの第１のセットに関連付けられた第１の測定ギャップパターン、及び１つ又は複数のキャリアの第２のセットに関連付けられた第２の測定ギャップパターンを定義する１つ又は複数の構成メッセージを受信させ、
前記第１のセットのキャリアごとに、及び前記第２のセットのキャリアごとに当該キャリアの関連付けられた優先順位を示す、１つ又は複数のメッセージを受信させ、
前記第１のセットのキャリアに関連付けられた前記優先順位に少なくとも部分的に基づく順序で測定される前記第１のセットの前記キャリアを、前記第１の測定ギャップパターンに従って測定させ、
前記第２の測定ギャップパターンを実装する要求を送信させ、
前記第２の測定ギャップパターンの実装を示すメッセージを受信させ、
前記第２のセットのキャリアに関連付けられた前記優先順位に少なくとも部分的に基づく順序で測定される前記第２のセットの前記キャリアを、前記第２の測定ギャップパターンにより示される期間の間に測定させ、
測定されたキャリアごとにダウンリンク（ＤＬ）チャネルメトリックを計算させ、
計算された前記ＤＬチャネルメトリックを送信させ
機械可読媒体。
【請求項２４】
前記要求は、正常に測定された前記第１のセットの各キャリアに少なくとも部分的に基づいて送信される、請求項２３に記載の機械可読媒体。
【請求項２５】
前記第１のセット又は前記第２のセットの１つ又は複数の優先順位下位のキャリアは、前記第１のセット又は前記第２のセットの優先順位上位のキャリアが正常に測定されるまで測定される、請求項２３又は２４に記載の機械可読媒体。
【発明の詳細な説明】
【技術分野】
【０００１】
［関連出願の参照］
本出願は、２０１５年５月１４日に出願された「マルチキャリア用の測定ギャップ拡張の１つの方法（ＯＮＥ  ＭＥＴＨＯＤ  ＯＦ  ＭＥＡＳＵＲＥＭＥＮＴ  ＧＡＰ  ＥＮＨＡＮＣＥＭＥＮＴ  ＦＯＲ  ＭＵＬＴＩＰＬＥ  ＣＡＲＲＩＥＲＳ）」と題する、米国仮出願第６２／１６１，７７５号の利益を主張し、その内容はその全体を参照することにより本明細書に組み込まれる。
【０００２】
本開示は無線技術に関し、より詳細には、数が増加したキャリアを監視するために、複数の異なる測定ギャップパターンを選択的に実装するための技術に関する。
【背景技術】
【０００３】
現在の３ＧＰＰ（第３世代パートナーシッププロジェクト）規定では、ＲＲＣ（無線リソース制御）メッセージ「ＲＲＣＣｏｎｎｅｃｔｉｏｎＲｅｃｏｎｆｉｇｕｒａｔｉｏｎ」内のＩＥ（情報要素）「ＭｅａｓＣｏｎｆｉｇ」に示されるように、単一の測定ギャップパターンが、所与のＵＥ（ユーザ機器）により測定される全てのキャリアに用いられる。
【図面の簡単な説明】
【０００４】
【図１】本明細書で説明される様々な態様に関連して使用可能な例示的なユーザ機器（ＵＥ）を示すブロック図である。
【０００５】
【図２】マルチキャリアを監視するユーザ機器（ＵＥ）に含まれ得る異なる測定遅延を伴う例示的なシナリオを示す図である。
【０００６】
【図３】本明細書で説明される様々な態様に従って、数が増加したキャリアを監視するために、１つ又は複数のユーザ機器（ＵＥ）に複数の異なる測定ギャップパターン（ＭＧＰ）を選択的に実装することを容易にする、発展型ノードＢ（ｅＮＢ）又は他の基地局に使用可能なシステムを示すブロック図である。
【０００７】
【図４】本明細書で説明される様々な態様によるＵＥによって、１つより多くの測定ギャップ繰り返し周期（ＭＧＲＰ）の適応性のある実装を容易にするシステム４００を示すブロック図である。
【０００８】
【図５】本明細書で説明される様々な態様によるスケジュールに基づいて、１つ又は複数のＵＥで複数のＭＧＰの適応性のある実装を容易にする方法を示すフロー図である。
【０００９】
【図６】本明細書で説明される様々な態様による、ＵＥにより要求されたＭＧＰ切り替えに基づいて、１つ又は複数のＵＥで複数のＭＧＰの適応性のある実装を容易にする方法を示すフロー図である。
【００１０】
【図７】本明細書で説明される様々な態様によるスケジュールに基づいて、ＵＥによる複数のＭＧＰの適応性のある切り替えを容易にする方法を示すフロー図である。
【００１１】
【図８】本明細書で説明される様々な態様による、ＭＧＰを切り替える要求に基づいて、ＵＥによる複数のＭＧＰの適応性のある切り替えを容易にする方法を示すフロー図である。
【００１２】
【図９】本明細書で開示される様々な実施形態による静的ネットワーク構成に基づいて、複数の異なるＭＧＰに関連づけられたマルチキャリアを測定するＵＥの例示的なシナリオを示す図である。
【００１３】
【図１０】本明細書で開示される様々な実施形態による静的ネットワーク構成に基づいて、適応性のあるＭＧＰ切り替えの例示的な実装を示す図である。
【００１４】
【図１１】本明細書で説明される様々な態様に従って、静的ネットワーク構成の例示的なＭｅａｓＧａｐＣｏｎｆｉｇ情報要素（ＩＥ）を示す。
【００１５】
【図１２】本明細書で説明される様々な態様に従って、静的ネットワーク構成の例示的なＭｅａｓＣｏｎｆｉｇ  ＩＥを示す。
【００１６】
【図１３】本明細書で説明される様々な態様による半永続的構成に基づいて、複数の異なるＭＧＰに関連付けられたマルチキャリアを測定するＵＥの例示的なシナリオの図を示す。
【００１７】
【図１４】本明細書で開示される様々な実施形態による半永続的構成に基づいて、適応性のあるＭＧＰ切り替えの例示的な実装を示す図である。
【００１８】
【図１５】本明細書で説明される様々な態様に従って、半永続的構成の例示的なＭｅａｓＧａｐＣｏｎｆｉｇ  ＩＥを示す。
【００１９】
【図１６】本明細書で説明される様々な態様に従って、半永続的構成の例示的なＭｅａｓＣｏｎｆｉｇ  ＩＥを示す。
【００２０】
【図１７】本明細書で説明される様々な態様に従って、半永続的構成の例示的なＲＲＣＣｏｎｎｅｃｔｉｏｎＲｅｅｓｔａｂｌｉｓｈｍｅｎｔＲｅｑｕｅｓｔ  ＩＥを示す。
【発明を実施するための形態】
【００２１】
次に、本開示が添付図面を参照して説明される。ここで、全体にわたり同様の参照数字が同様の要素を表すのに用いられており、示される構造及びデバイスは必ずしも縮尺通りに描かれてはいない。本明細書で使用されるとき、「コンポーネント」、「システム」、「インタフェース」などの用語は、コンピュータ関連のエンティティ、ハードウェア、（例えば、実行中の）ソフトウェア、及び／又はファームウェアを指すよう意図されている。例えば、コンポーネントは、プロセッサ（例えば、マイクロプロセッサ、コントローラ、又は他の処理デバイス）、プロセッサ上で動作するプロセス、コントローラ、オブジェクト、実行ファイル、プログラム、ストレージデバイス、コンピュータ、タブレットＰＣ、及び／又は処理デバイスを搭載したユーザ機器（例えば、携帯電話など）であってよい。例示として、サーバ上で動作するアプリケーション及びサーバも、コンポーネントであってよい。１つ又は複数のコンポーネントがプロセス内に存在してよく、またコンポーネントが１つのコンピュータに局在化されてよく、及び／又は、２つ若しくはそれより多くのコンピュータの間に分散されてよい。要素のセット又は他のコンポーネントのセットが本明細書で説明されることがあり、ここで「セット」という用語は「１つ又は複数」と解釈されてよい。
【００２２】
さらに、これらのコンポーネントは、例えば、モジュールなどと共に格納された様々なデータ構造を有する様々なコンピュータ可読記憶媒体から実行することができる。コンポーネントは、１つ又は複数のデータパケット（例えば、ローカルシステム内、分散システム内、及び／又はインターネット、ローカルエリアネットワーク、ワイドエリアネットワーク、若しくは他のシステムを有する類似のネットワークなどのネットワーク全体にわたり、信号を介して別のコンポーネントと対話する１つのコンポーネントからのデータ）を有する信号などに従い、ローカル処理及び／又はリモート処理を介して通信することができる。
【００２３】
別の例として、コンポーネントは、電気回路又は電子回路で動作する機械部品により提供される特定の機能を有する装置であってよく、電気回路又は電子回路は、１つ又は複数のプロセッサにより実行されるソフトウェアアプリケーション又はファームウェアアプリケーションで動作することができる。１つ又は複数のプロセッサは、装置の内部又は外部にあってよく、ソフトウェアアプリケーション又はファームウェアアプリケーションの少なくとも一部を実行することができる。さらに別の例として、コンポーネントが、機械部品を持たない電子コンポーネントを通じて、特定の機能を提供する装置であってよく、電子コンポーネントは、電子コンポーネントの機能を少なくとも部分的に与えるソフトウェア及び／又はファームウェアを実行する１つ又は複数のプロセッサを内部に含むことができる。
【００２４】
例示的という単語の使用は、具体的な方式でコンセプトを提示することが意図されている。本出願で用いられるとき、「ｏｒ（又は）」という用語は、排他的「ｏｒ」ではなく、包含的「ｏｒ」を意味することが意図されている。すなわち、別途規定されない限り、又は文脈から明らかではない限り、「ＸはＡ又はＢを使用する」とは、自然な包含的置換のいずれかを意味することが意図されている。すなわち、ＸはＡを使用する、ＸはＢを使用する、若しくは、ＸはＡ及びＢの両方を使用するならば、前述の例のいずれかのもとで「ＸはＡ又はＢを使用する」が満たされる。さらに、本出願及び添付の特許請求の範囲に用いられる冠詞「ａ」及び「ａｎ」は一般に、単数形を対象としていることが別途規定されない限り、又は文脈からそれが明らかではない限り、「１つ又は複数」を意味すると解釈されるべきである。さらに、「ｉｎｃｌｕｄｉｎｇ（含む）」、「ｉｎｃｌｕｄｅｓ（含む）」、「ｈａｖｉｎｇ（有する）」、「ｈａｓ（有する）」、「ｗｉｔｈ（有する）」という用語、又はこれらの異形が、詳細な説明及び特許請求の範囲のいずれかで用いられる限りにおいて、そのような用語は、「ｃｏｍｐｒｉｓｉｎｇ（備える）」という用語と類似の態様で包含的であることが意図されている。
【００２５】
本明細書で用いられるとき、「ｃｉｒｃｕｉｔｒｙ（回路）」という用語は、特定用途向け集積回路（ＡＳＩＣ）、電子回路、１つ又は複数のソフトウェア若しくはファームウェアプログラムを実行するプロセッサ（共有、専用、又はグループ）及び／又はメモリ（共有、専用、又はグループ）、組み合わせ論理回路、及び／又は、説明された機能を提供する他の好適なハードウェアコンポーネントを指してよく、それらの一部であってよく、又はそれらを含んでよい。いくつかの実施形態において、回路は、１つ又は複数のソフトウェア若しくはファームウェアモジュールに実装されてよく、あるいは、回路に関連付けられた機能が１つ又は複数のソフトウェア若しくはファームウェアモジュールによって実装されてもよい。いくつかの実施形態において、回路は、ハードウェアにおいて少なくとも部分的に動作可能なロジックを含んでよい。
【００２６】
本明細書で説明される実施形態は、適切に構成された任意のハードウェア及び／又はソフトウェアを用いるシステムに実装されてよい。図１は、１つの実施形態に関する、ユーザ機器（ＵＥ）デバイス１００の例示的なコンポーネントを示す。いくつかの実施形態において、ＵＥデバイス１００は、アプリケーション回路１０２と、ベースバンド回路１０４と、無線周波数（ＲＦ）回路１０６と、フロントエンドモジュール（ＦＥＭ）回路１０８と、１つ又は複数のアンテナ１１０とを含むことができ、これらは少なくとも図に示されるように共に結合される。
【００２７】
アプリケーション回路１０２は、１つ又は複数のアプリケーションプロセッサを含むことができる。例えば、アプリケーション回路１０２は、限定されないが、１つ又は複数のシングルコアプロセッサ若しくはマルチコアプロセッサなどの回路を含むことができる。プロセッサは、汎用プロセッサ及び専用プロセッサ（例えば、グラフィックスプロセッサ、アプリケーションプロセッサなど）の任意の組み合わせを含むことができる。プロセッサは、メモリ／ストレージに結合されてよく、及び／又はメモリ／ストレージを含んでよく、また様々なアプリケーション及び／又はオペレーティングシステムがシステム上で動作することを可能にするために、メモリ／ストレージに格納された命令を実行するように構成されてよい。
【００２８】
ベースバンド回路１０４は、限定されないが、１つ又は複数のシングルコアプロセッサ若しくはマルチコアプロセッサなどの回路を含むことができる。ベースバンド回路１０４は、ＲＦ回路１０６の受信信号経路から受信したベースバンド信号を処理して、ＲＦ回路１０６の送信信号経路用にベースバンド信号を生成するための、１つ又は複数のベースバンドプロセッサ及び／又は制御ロジックを含むことができる。ベースバンド処理回路１０４は、ベースバンド信号の生成及び処理のために、並びにＲＦ回路１０６の動作を制御するために、アプリケーション回路１０２とインタフェースをとることができる。例えば、いくつかの実施形態において、ベースバンド回路１０４は、第２世代（２Ｇ）のベースバンドプロセッサ１０４ａ、第３世代（３Ｇ）のベースバンドプロセッサ１０４ｂ、第４世代（４Ｇ）ベースバンドプロセッサ１０４ｃ、及び／又は、他の既存世代、開発中の世代、若しくは今後開発される世代（例えば、第５世代（５Ｇ）、６Ｇなど）用の他のベースバンドプロセッサ１０４ｄを含むことができる。ベースバンド回路１０４（例えば、ベースバンドプロセッサ１０４ａ〜ｄのうち１つ又は複数）は、ＲＦ回路１０６を介して１つ又は複数の無線ネットワークとの通信を可能にする様々な無線制御機能を用いることができる。無線制御機能には、限定されないが、信号変調／復調、符号化／復号化、無線周波数偏移などが含まれてよい。いくつかの実施形態において、ベースバンド回路１０４の変調／復調回路は、高速フーリエ変換（ＦＦＴ）、プリコーディング、及び／又はコンステレーションマッピング／マッピング解除機能を含むことができる。いくつかの実施形態において、ベースバンド回路１０４の符号化／復号化回路は、畳み込み、テールバイティング畳み込み、ターボ、ビタビ、及び／又は、低密度パリティチェック（ＬＤＰＣ）エンコーダ／デコーダ機能を含むことができる。変調／復調機能及びエンコーダ／デコーダ機能の実施形態は、これらの例に限定されず、他の実施形態において他の好適な機能を含むことができる。
【００２９】
いくつかの実施形態において、ベースバンド回路１０４は、例えば、進化型ユニバーサル地上波無線アクセスネットワーク（ＥＵＴＲＡＮ）プロトコルの要素など、プロトコルスタックの要素を含むことができ、それらの要素には例えば、物理（ＰＨＹ）要素、媒体アクセス制御（ＭＡＣ）要素、無線リンク制御（ＲＬＣ）要素、パケットデータコンバージェンスプロトコル（ＰＤＣＰ）要素、及び／又は無線リソース制御（ＲＲＣ）要素が含まれる。ベースバンド回路１０４の中央処理装置（ＣＰＵ）１０４ｅは、ＰＨＹレイヤ、ＭＡＣレイヤ、ＲＬＣレイヤ、ＰＤＣＰレイヤ、及び／又はＲＲＣレイヤのシグナリングのために、プロトコルスタックの要素を動作させるように構成されてよい。いくつかの実施形態において、ベースバンド回路は、１つ又は複数のオーディオデジタル信号プロセッサ（ＤＳＰ）１０４ｆを含むことができる。オーディオＤＳＰ１０４ｆは、圧縮／解凍用及びエコーキャンセル用の要素を含むことができ、他の実施形態において他の好適な処理要素を含むことができる。ベースバンド回路のコンポーネントは、単一のチップ内、単一のチップセット内に適切に組み合わされてよく、又は、いくつかの実施形態において、同じ回路基板上に配置されてよい。いくつかの実施形態において、ベースバンド回路１０４及びアプリケーション回路１０２の構成要素の一部又は全てが、例えば、システムオンチップ（ＳｏＣ）などに共に実装されてよい。
【００３０】
いくつかの実施形態において、ベースバンド回路１０４は、１つ又は複数の無線技術と互換性のある通信を提供することができる。例えば、いくつかの実施形態において、ベースバンド回路１０４は、進化型ユニバーサル地上波無線アクセスネットワーク（ＥＵＴＲＡＮ）、及び／又は、他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路１０４が１つより多くの無線プロトコルの無線通信をサポートするように構成される実施形態は、マルチモードベースバンド回路と呼ばれることがある。
【００３１】
ＲＦ回路１０６は、非固体媒体を通る変調電磁放射を用いて、無線ネットワークとの通信を可能にすることができる。様々な実施形態において、ＲＦ回路１０６は、無線ネットワークとの通信を容易にするためのスイッチ、フィルタ、増幅器などを含むことができる。ＲＦ回路１０６は受信信号経路を含むことができ、受信信号経路は、ＦＥＭ回路１０８から受信したＲＦ信号をダウンコンバートし、ベースバンド信号をベースバンド回路１０４に提供するための回路を含むことができる。ＲＦ回路１０６は送信信号経路も含むことができ、送信信号経路は、ベースバンド回路１０４により提供されたベースバンド信号をアップコンバートし、ＲＦ出力信号を送信のためにＦＥＭ回路１０８に提供するための回路を含むことができる。
【００３２】
いくつかの実施形態において、ＲＦ回路１０６は、受信信号経路及び送信信号経路を含むことができる。ＲＦ回路１０６の受信信号経路は、ミキサ回路１０６ａと、増幅器回路１０６ｂと、フィルタ回路１０６ｃとを含むことができる。ＲＦ回路１０６の送信信号経路は、フィルタ回路１０６ｃとミキサ回路１０６ａとを含むことができる。ＲＦ回路１０６は、受信信号経路及び送信信号経路のミキサ回路１０６ａによる使用のために、周波数を合成するためのシンセサイザ回路１０６ｄも含むことができる。いくつかの実施形態において、受信信号経路のミキサ回路１０６ａは、シンセサイザ回路１０６ｄにより提供される合成周波数に基づいて、ＦＥＭ回路１０８から受信したＲＦ信号をダウンコンバートするように構成されてよい。増幅器回路１０６ｂは、ダウンコンバートされた信号を増幅するように構成されてよく、フィルタ回路１０６ｃは、出力ベースバンド信号を生成するためにダウンコンバートされた信号から不要な信号を除去するように構成されたローパスフィルタ（ＬＰＦ）又はバンドパスフィルタ（ＢＰＦ）であってよい。出力ベースバンド信号は、さらに処理するために、ベースバンド回路１０４に提供されてよい。いくつかの実施形態において、出力ベースバンド信号は、ゼロ周波数のベースバンド信号であってよいが、これは必要条件ではない。いくつかの実施形態において、受信信号経路のミキサ回路１０６ａは、パッシブミキサを含むことができるが、本実施形態の範囲はこの点において限定されない。
【００３３】
いくつかの実施形態において、送信信号経路のミキサ回路１０６ａは、シンセサイザ回路１０６ｄにより提供された合成周波数に基づいて、入力ベースバンド信号をアップコンバートして、ＦＥＭ回路１０８用のＲＦ出力信号を生成するように構成されてよい。ベースバンド信号は、ベースバンド回路１０４により提供されてよく、フィルタ回路１０６ｃによりフィルタリングされてよい。フィルタ回路１０６ｃはローパスフィルタ（ＬＰＦ）を含むことができるが、本実施形態の範囲はこの点において限定されない。
【００３４】
いくつかの実施形態において、受信信号経路のミキサ回路１０６ａ及び送信信号経路のミキサ回路１０６ａは、２つ又はそれより多くのミキサを含むことができ、それぞれ直交ダウンコンバージョン及び／又は直交アップコンバージョン用に構成されてよい。いくつかの実施形態において、受信信号経路のミキサ回路１０６ａ及び送信信号経路のミキサ回路１０６ａは、２つ又はそれより多くのミキサを含むことができ、イメージ除去（例えば、ハートレー型イメージ除去）用に構成されてよい。いくつかの実施形態において、受信信号経路のミキサ回路１０６ａ及び送信信号経路のミキサ回路１０６ａはそれぞれ、ダイレクトダウンコンバージョン及び／又はダイレクトアップコンバージョン用に構成されてよい。いくつかの実施形態において、受信信号経路のミキサ回路１０６ａ及び送信信号経路のミキサ回路１０６ａは、スーパーヘテロダイン方式の動作用に構成されてよい。
【００３５】
いくつかの実施形態において、出力ベースバンド信号及び入力ベースバンド信号は、アナログベースバンド信号であってよいが、本実施形態の範囲はこの点において限定されない。いくつかに代替の実施形態において、出力ベースバンド信号及び入力ベースバンド信号は、デジタルベースバンド信号であってよい。これらの代替の実施形態において、ＲＦ回路１０６は、アナログデジタル変換器（ＡＤＣ）回路及びデジタルアナログ変換器（ＤＡＣ）回路を含むことができ、ベースバンド回路１０４は、ＲＦ回路１０６と通信するためにデジタルベースバンドインタフェースを含むことができる。
【００３６】
いくつかのデュアルモードの実施形態において、別個の無線ＩＣ回路が、スペクトルごとの信号を処理するために提供されてよいが、本実施形態の範囲はこの点において限定されない。
【００３７】
いくつかの実施形態において、シンセサイザ回路１０６ｄは、フラクショナル−Ｎシンセサイザ又はフラクショナルＮ／Ｎ＋１シンセサイザであってよいが、他のタイプの周波数シンセサイザが好適である場合があるので、本実施形態の範囲はこの点において限定されない。例えば、シンセサイザ回路１０６ｄは、デルタ・シグマシンセサイザ、周波数逓倍器、又は周波数分周器とともに位相同期ループを含んだシンセサイザであってよい。
【００３８】
シンセサイザ回路１０６ｄは、ＲＦ回路１０６のミキサ回路１０６ａによる使用のために、周波数入力及び分周器制御入力に基づいて出力周波数を合成するように構成されてよい。いくつかの実施形態において、シンセサイザ回路１０６ｄはフラクショナルＮ／Ｎ＋１シンセサイザであってよい。
【００３９】
いくつかの実施形態において、周波数入力が電圧制御発振器（ＶＣＯ）により提供されてよいが、これは必要条件ではない。分周器制御入力が、所望の出力周波数に応じて、ベースバンド回路１０４又はアプリケーションプロセッサ１０２により提供されてよい。いくつかの実施形態において、分周器制御入力（例えば、Ｎ）が、アプリケーションプロセッサ１０２により示されるチャネルに基づいて、ルックアップテーブルから決定されてよい。
【００４０】
ＲＦ回路１０６のシンセサイザ回路１０６ｄは、分周器、遅延同期ループ（ＤＬＬ）、マルチプレクサ、及び位相アキュムレータを含むことができる。いくつかの実施形態において、分周器はデュアルモジュラス分周器（ＤＭＤ）であってよく、位相アキュムレータはデジタル位相アキュムレータ（ＤＰＡ）であってよい。いくつかの実施形態において、ＤＭＤは、フラクショナル分周比を提供するために、（例えば、キャリーアウトに基づいて）入力信号をＮ又はＮ＋１で分周するように構成されてよい。いくつかの例示的な実施形態において、ＤＬＬは、カスケード型チューナブル遅延素子のセット、位相検出器、チャージポンプ、及びＤ型フリップフロップを含むことができる。これらの実施形態において、遅延素子は、ＶＣＯ周期をＮｄ個の位相が等しいパケットに分割するように構成されてよく、ここで、Ｎｄは遅延線における遅延素子の数である。このように、ＤＬＬは負帰還を提供して、遅延線による総遅延が必ずＶＣＯの１周期になるのに役立てている。
【００４１】
いくつかの実施形態において、シンセサイザ回路１０６ｄは、出力周波数としてキャリア周波数を生成するように構成されてよく、他の実施形態において、出力周波数は、キャリア周波数の倍数（例えば、キャリア周波数の２倍、キャリア周波数の４倍）であってよく、キャリア周波数において互いに対して複数の異なる位相を有する複数の信号を生成するために、直交ジェネレータ及び分周器回路と併せて用いられてよい。いくつかの実施形態において、出力周波数はＬＯ周波数（ｆＬＯ）であってよい。いくつかの実施形態において、ＲＦ回路１０６はＩＱ／極座標変換器を含むことができる。
【００４２】
ＦＥＭ回路１０８は受信信号経路を含むことができ、受信信号経路は、１つ又は複数のアンテナ１１０から受信したＲＦ信号を処理し、受信信号を増幅し、増幅した形の受信信号をさらに処理するためにＲＦ回路１０６に提供するように構成された回路を含むことができる。ＦＥＭ回路１０８は送信信号経路も含むことができ、送信信号経路は、１つ又は複数のアンテナ１１０のうち１つ又は複数により送信するために、ＲＦ回路１０６により提供された送信用の信号を増幅するように構成された回路を含むことができる。
【００４３】
いくつかの実施形態において、ＦＥＭ回路１０８は、送信モード動作と受信モード動作を切り替えるＴＸ／ＲＸスイッチを含むことができる。ＦＥＭ回路は、受信信号経路及び送信信号経路を含むことができる。ＦＥＭ回路の受信信号経路は、受信したＲＦ信号を増幅し、増幅した受信ＲＦ信号を出力として（例えば、ＲＦ回路１０６に）提供するための、低雑音増幅器（ＬＮＡ）を含むことができる。ＦＥＭ回路１０８の送信信号経路は、（例えば、ＲＦ回路１０６により提供される）入力ＲＦ信号を増幅するための電力増幅器（ＰＡ）と、（例えば、１つ又は複数のアンテナ１１０のうち１つ又は複数による）次の送信のためにＲＦ信号を生成するための１つ又は複数のフィルタとを含むことができる。
【００４４】
いくつかの実施形態において、ＵＥデバイス１００は、例えば、メモリ／ストレージ、ディスプレイ、カメラ、センサ、及び／又は入出力（Ｉ／Ｏ）インタフェースなどの追加の要素を含むことができる。
【００４５】
従来のＬＴＥ（ロングタームエボリューション）無線システムは、全てのキャリアに単一の測定ギャップパターンを用いる。しかし、ＩｎｃＭｏｎ（監視するキャリアの数の増加）の事例又は類似のシナリオにおいて、異なる測定遅延タイミングが異なるタイプのキャリアに適用可能であってよく、例えば、ＮＰＧ（標準性能グループ）キャリア用及びＲＰＧ（縮小性能グループ）キャリア用の異なる測定遅延などである。これに取り組むために、本明細書で説明される様々な実施形態が、様々な測定遅延に関連したキャリアを測定することができる単一のＵＥに対して、複数の測定ギャップパターンを構成することができる。
【００４６】
図２を参照すると、マルチキャリアを監視するユーザ機器（ＵＥ）に含まれ得る異なる測定遅延を示す例示的なシナリオが示されている。本明細書で説明される様々な態様において、適応性のある測定ギャップパターンが、測定されたキャリアに適用されてよく、これらの測定ギャップパターンは、これらのキャリアに関連付けられた測定遅延タイミングのうち１つ又は複数、又は優先順位を付けた隣接セルのリストに依存してよい。
【００４７】
図３を参照すると、本明細書で説明される様々な態様に従って、数が増加したキャリアを監視するために、１つ又は複数のユーザ機器（ＵＥ）に複数の異なる測定ギャップパターンを選択的に実装することを容易にするシステム３００のブロック図が示されている。システム３００は、プロセッサ３１０、送信機回路３２０、受信機回路３３０、及びメモリ３４０（メモリは、様々な記憶媒体のいずれかを含むことができ、受信機回路３１０、プロセッサ３２０、又は送信機回路３３０のうち１つ又は複数に関連した命令及び／又はデータを格納することができる）を含むことができる。様々な態様において、システム３００は、進化型ユニバーサル地上波無線アクセスネットワーク（Ｅ−ＵＴＲＡＮ）ノードＢ（進化型ノードＢ、ｅＮｏｄｅＢ、若しくはｅＮＢ）、又は無線通信ネットワーク内の他の基地局の中に含まれてよい。より詳細に後述されるように、システム３００は、予め定められた基準又はＵＥフィードバックに基づいて、ＵＥでの複数の測定ギャップパターンの適応性のある実装を容易にすることができる。
【００４８】
プロセッサ３１０は、キャリアの第１のセット用の第１の測定ギャップパターン（ＭＧＰ）、及びキャリアの第２のセット用の第２のＭＧＰなど、キャリアの２つ又はそれより多くのセットに２つ又はそれより多くのＭＧＰを決定することができ、各ＭＧＰは、異なる測定ギャップ繰り返し周期（ＭＧＲＰ）に関連付けられてよい。実施形態の１つの例示的セットにおいて、第１のＭＧＰは、ＮＰＧキャリアのセット用のＭＧＰであってよく、１０ｍｓ又は２０ｍｓのＭＧＲＰを有することができ、第２のＭＧＰは、ＲＰＧキャリアのセット用のＭＧＰであってよく、４０ｍｓ又は８０ｍｓのＭＧＲＰを有することができる。プロセッサ３１０は、各キャリアに優先順位を割り当てることもでき、これにより、ユーザ機器（ＵＥ）がキャリアを測定する順序、又はＵＥがキャリアの所与のセット（例えば、共通のＭＧＲＰを有するキャリアのセット）においてキャリアを測定する順序に影響が生じ得る。
【００４９】
さらに、本実施形態に応じて、プロセッサ３１０は、複数（例えば、２つ）のＭＧＰを様々な方法のいずれかで切り替えることを容易にすることができる。
【００５０】
実施形態の第１のセットにおいて、プロセッサ３１０は、ＵＥが各ＭＧＰをいつ適用すべきかを示すスケジュールを生成することができる（例えば、第１の期間の間に第１のＭＧＰを適用する、第２の期間の間に第２のＭＧＰを適用するなど）。いくつかの態様において、このスケジュールは、静的に（又は半静的に）構成されてよい。スケジュールを使用する様々な実施形態において、スケジュールの全長は、キャリアのセットのうちの１つに関連した最大ＭＧＲＰの長さの倍数であってよく、異なるＭＧＰに関連したスケジュールの各部分の長さも、最大ＭＧＲＰの長さの倍数であってよい。例えば、それぞれ１０ｍｓ及び４０ｍｓのＭＧＲＰを伴うＭＧＰを有するキャリアの第１のセット及び第２のセットの場合、第１の期間（Ｔ１、１０ｍｓのＭＧＲＰ）、第２の期間（Ｔ２、４０ｍｓのＭＧＲＰ）、及びスケジュールの合計時間（Ｔ）は全て、スケジュール内の最長ＭＧＲＰ（４０ｍｓ）の倍数、すなわち、Ｔ１＝Ｎ１×４０ｍｓ、Ｔ２＝Ｎ２×４０ｍｓ、及びＴ＝Ｎ×４０ｍｓであってよく、ここで、Ｎ１、Ｎ２、及びＮ（＝Ｎ１＋Ｎ２）は全て正の整数である。
【００５１】
実施形態の第２のセットにおいて、プロセッサ３１０は、現ＭＧＰから異なるＭＧＰ（例えば、次のＭＧＰなど）を実装する命令を生成することで、ＵＥフィードバックに応答することができる。例えば、２つのＭＧＰを有する実施形態において、プロセッサ３１０は、どちらのＭＧＰを第１の値に最初に用いるかを示すフラグの値をセットすることができ、（例えば、キャリアの第１のセットの測定が終了したことを示すなどの）ＵＥフィードバックに基づいて、プロセッサ３１０はフラグの値を変更することができる。キャリアの２つより多くのセットでは、１つより多くのビットが、ＵＥが測定に用いる現ＭＧＰを指定するのに用いられてよい。
【００５２】
ＵＥがキャリアのセットに対して測定を行うことを可能にするために、送信機回路３２０が、情報のセットをＵＥに送信することができる。情報のセットは、割り当てられた優先順位及び関連ＭＧＰに加えて、キャリアの各セットをＵＥに対して構成することができる。スケジュールが使用される実施形態の場合、送信機回路３２０はまた、スケジュールでＵＥを構成することができる。ＵＥフィードバックに基づいてＭＧＰが切り替わる実施形態の場合、送信機回路３２０は、現ＭＧＰを示すためにフラグの初期値などを送信することができ、受信機回路３３０を介して受信した、ＭＧＰを変更するＵＥ要求に応答して、プロセッサ３１０は、ＵＥ用の現ＭＧＰを切り替えるかどうかを判定することができ、送信機回路３３０は、プロセッサ３１０の判定を示す応答（例えば、フラグの値を切り替えるかどうかなど）を送信することができる。
【００５３】
受信機回路３３０は、ＭＧＰに従って１つ又は複数のキャリアに対して取得された測定値に基づいて、ＵＥからキャリア測定値（例えば、参照信号（ＲＳ）受信電力（ＲＳＲＰ）、ＲＳ受信品質（ＲＳＲＱ）、受信信号強度インジケータ（ＲＳＳＩ）などのうち１つ又は複数）を受信することができる。
【００５４】
送信機回路３２０によりＵＥに送信される、又は受信機回路３３０によりＵＥから受信されるメッセージのうち１つ又は複数は、無線リソース制御（ＲＲＣ）を介して送信されてよい。様々な態様において、（例えば、キャリア、優先順位、ＭＧＰ、及び可能性としてスケジュールを示す）情報の最初のセットは、「ＲＲＣＣｏｎｎｅｃｔｉｏｎＲｅｃｏｎｆｉｇｕｒａｔｉｏｎ」メッセージを介して送信されてよく、特定の態様では、複数のＭＧＰの選択的な実装に関連した専用の情報要素（ＩＥ）、又は既存のＩＥ（例えば、「ＭｅａｓＧａｐＣｏｎｆｉｇ」、「ＭｅａｓＣｏｎｆｉｇ」など）を介して送信されてよい。ＵＥからのＭＧＰを変更する要求が含まれる場合、この要求は「ＲＲＣＣｏｎｎｅｃｔｉｏｎＲｅｅｓｔａｂｌｉｓｈｍｅｎｔＲｅｑｕｅｓｔ」メッセージを介して送信されてよく、更新されたＭＧＰは、「ＲＲＣＣｏｎｎｅｃｔｉｏｎＲｅｃｏｎｆｉｇｕｒａｔｉｏｎ」メッセージを介して示されてよい。
【００５５】
図４を参照すると、本明細書で説明される様々な態様によるＵＥによって、１つより多くのＭＧＲＰの適応性のある実装を容易にするシステム４００のブロック図が示されている。システム４００は、受信機回路４１０、プロセッサ４２０、送信機回路４３０、及びメモリ４４０（メモリは、様々な記憶媒体のいずれかを含むことができ、受信機回路４１０、プロセッサ４２０、又は送信機回路４３０のうち１つ又は複数に関連した命令及び／又はデータを格納することができる）を含むことができる。様々な態様において、システム４００はユーザ機器（ＵＥ）の中に含まれてよい。より詳細に後述されるように、システム４００は、スケジュールに基づいて、又はＵＥにより送信される要求に基づいて、少なくとも２つのＭＧＰ間の切り替えを容易にすることができる。
【００５６】
受信機回路４１０は、キャリアの２つ又はそれより多くのセット、キャリアのそれぞれの優先順位、及びキャリアのセットごとの測定ギャップパターン（ＭＧＰ）を示すことができる１つ又は複数のメッセージを（例えば、ＲＲＣを介して）受信することができ、各ＭＧＰは異なるＭＧＲＰに関連付けられる。いくつかの実施形態において、受信機回路４１０は、どのＭＧＰをいつ使用するかを示すスケジュールも受信することができ、他の実施形態において、スケジュールは静的に構成されてよく、又はシステム４００からのＭＧＰを切り替える要求に応答して、ＭＧＰ間の切り替えが、受信機回路４１０により受信したメッセージに基づいて実施されてよい。
【００５７】
受信機回路４１０はまた、キャリアの２つ又はそれより多くのセットのうち第１のセットのキャリアを、スケジュールに基づいて、又は第１のセットのキャリアの各キャリアが測定されるまで、関連付けられた第１のＭＧＰに従って測定することができる。受信機回路４１０は、第１のセットのキャリアに関連付けられた優先順位に基づく順序で、第１のセットのキャリアを測定することができる。いくつかの態様において、優先順位上位のキャリアの測定遅延を短縮するために、優先順位上位のキャリアが正常に測定されるまで、１つ又は複数の優先順位下位のキャリアが測定されてよい。
【００５８】
実施形態の第１のセットにおいて、スケジュールに基づく測定を伴う場合、受信機回路４１０は、キャリアの第１のセットに関連付けられた第１の期間中に、キャリアの第１のセットのキャリアを測定することができ、その後、受信機回路４１０は、スケジュールにより示されるように、第２の期間の関連付けられた第２のＭＧＰに従って、キャリアの第２のセットのキャリアを測定し始めることなどができる。
【００５９】
実施形態の第２のセットにおいて、受信機回路４１０は、キャリアの第１のセットの各キャリアが正常に測定されるまで、関連付けられた第１のＭＧＰに従って、キャリアの第１のセットを測定することができ、その時点で、プロセッサ４２０はＭＧＰを第２のＭＧＰに変更する要求を生成することができ、送信機回路４３０はその要求を送信することができる。受信機回路４１０は第２のＭＧＰに切り替えることを示すメッセージを受信することができ、その時点で、受信機回路４１０は、第２のＭＧＰに従ってキャリアの第２のセットを測定し始めることなどができる。
【００６０】
プロセッサ４２０はさらに、受信機回路４１０により測定されるキャリアごとに、ＲＳＲＰ、ＲＳＲＱ、ＲＳＳＩなどのダウンリンク（ＤＬ）チャネルメトリックを計算することができる。
【００６１】
送信機回路４３０はさらに、測定されたＤＬチャネルメトリックをサービングｅＮＢに送信することができる。
【００６２】
図５を参照すると、本明細書で説明される様々な態様によるスケジュールに基づいて、１つ又は複数のＵＥで複数のＭＧＰの適応性のある実装を容易にする方法５００のフロー図が示されている。いくつかの態様において、方法５００はｅＮＢで実行されてよい。他の態様において、機械可読媒体が方法５００に関連する命令を格納することができ、これらの命令は、実行された場合、方法５００の行為をｅＮＢに実行させることができる。
【００６３】
５１０で、異なる測定ギャップタイミングを有するキャリアの２つ又はそれより多くのセットのそれぞれについて、関連ＭＧＰが決定されてよい。
【００６４】
５２０で、決定されたＭＧＰをどのＵＥが実装することができるかに従って、スケジュールが任意で決定されてよい。
【００６５】
５３０で、優先順位が各セットの各キャリアに割り当てられてよく、これにより、測定するＵＥが、関連ＭＧＰに従って、且つ優先順位に少なくとも部分的に基づいて、当該セットのキャリアを測定することができる。
【００６６】
５４０で、ＵＥが、ＭＧＰ、キャリア、優先順位、及び任意でスケジュールを用いて構成されてよい。
【００６７】
５５０で、ＵＥに対して構成されたＭＧＰに従って取得された測定値に基づいて、ＤＬキャリア測定値がＵＥから受信されてよい（例えば、ＲＳＲＰ、ＲＳＲＱ、ＲＳＳＩなど）。
【００６８】
図６は、本明細書で説明される様々な態様に従って、ＵＥにより要求されるＭＧＰ切り替えに基づいて、１つ又は複数のＵＥで複数のＭＧＰの適応性のある実装を容易にする方法６００を示すフロー図である。いくつかの態様において、方法６００はｅＮＢで実行されてよい。他の態様において、機械可読媒体が方法６００に関連する命令を格納することができ、これらの命令は、実行された場合、方法６００の行為をｅＮＢに実行させることができる。
【００６９】
６１０で、ＭＧＰが、キャリアの２つ又はそれより多くのセットのそれぞれについて決定されてよい。
【００７０】
６２０で、ＵＥが、６１０で決定されたＭＧＰで構成されてよい。
【００７１】
６３０で、キャリアのセットのそれぞれのキャリアごとに優先順位を示す、優先順位リストが決定されてよい。
【００７２】
６４０で、ＵＥは、測定するキャリアのセット及び関連する優先順位で構成されてよい。様々な態様において、ＵＥは、単一のＲＲＣメッセージに含まれる６２０での情報及び６４０での情報で構成されてよい。
【００７３】
６５０で、２つ又はそれより多くのＭＧＰの次のＭＧＰ（例えば、第２のＭＧＰなど）を実装する要求が、ＵＥから受信されてよい。
【００７４】
６６０で、要求されたＭＧＰを実装するようにＵＥに示すメッセージが送信されてよい。
【００７５】
異なるＭＧＰを有するキャリアの２つより多くのセットが存在する場合、各ＭＧＰが実装されるまで、６５０及び６６０が繰り返されてよい。
【００７６】
図７は、本明細書で説明される様々な態様によるスケジュールに基づいて、ＵＥによる複数のＭＧＰの適応性のある切り替えを容易にする方法７００を示すフロー図である。いくつかの態様において、方法７００はＵＥで実行されてよい。他の態様において、機械可読媒体が方法７００に関連する命令を格納することができ、これらの命令は、実行された場合、方法７００の行為をＵＥに実行させることができる。
【００７７】
７１０で、測定すべきキャリアの２つ又はそれより多くのセット、キャリアの各セットに関連付けられた異なるＭＧＰ、キャリアのそれぞれの優先順位、及び、関連ＭＧＰに従ってキャリアのセットのそれぞれをいつ測定するかを示すスケジュールで、ＵＥが構成されてよい。
【００７８】
７２０で、キャリアのセットのキャリアが、スケジュールに関連付けられた期間の関連ＭＧＰに従って、且つ優先順位に少なくとも部分的に基づく順序で、測定されてよい。
【００７９】
７３０で、測定されたキャリアごとに、ＤＬチャネルメトリック（例えば、ＲＳＲＰ、ＲＳＲＱ、ＲＳＳＩなど）が計算されてよい。
【００８０】
７４０で、計算されたＤＬチャネルメトリックは、サービングｅＮＢに送信されてよい。
【００８１】
図８は、本明細書で説明される様々な態様による、ＭＧＰを切り替える要求に基づいて、ＵＥによる複数のＭＧＰの適応性のある切り替えを容易にする方法８００を示すフロー図である。いくつかの態様において、方法８００はＵＥで実行されてよい。他の態様において、機械可読媒体が方法８００に関連する命令を格納することができ、これらの命令は、実行された場合、方法８００の行為をＵＥに実行させることができる。
【００８２】
８１０で、ＵＥは、キャリアの２つ又はそれより多くのセット、キャリアの各セットに関連付けられたＭＧＰ、各キャリアに関連付けられた優先順位で構成されてよい。
【００８３】
８２０で、キャリアの２つ又はそれより多くのセットのうち第１のセットのキャリアが、第１のセットに関連付けられた第１のＭＧＰに従って、且つ第１のセットのキャリアに関連づけられた優先順位に少なくとも部分的に基づく順序で、測定されてよい。
【００８４】
８３０で、前のセット（例えば、第１のセット）の各キャリアを測定した後に、次のＭＧＰ（例えば、第２のＭＧＰ）の実装を要求するメッセージが送信されてよい。
【００８５】
８４０で、次のＭＧＰが実装されるべきことを示す応答が受信されてよい。
【００８６】
８５０で、キャリアの２つ又はそれより多くのセットのうち次のセットのキャリアが、次のＭＧＰに従って、且つ次のセットのキャリアに関連付けられた優先順位に少なくとも部分的に基づく順序で、測定されてよい。
【００８７】
異なるＭＧＰを有するキャリアの２つより多くのセットが存在する場合、各セットの各キャリアが測定されるまで、８３０、８４０、及び８５０が繰り返されてよい。
【００８８】
８６０で、ＤＬチャネルメトリックが、測定されたキャリアごとに計算されてよい。
【００８９】
８７０で、計算されたＤＬチャネルメトリックは、サービングｅＮＢに送信されてよい。
【００９０】
ＩｎｃＭｏｎの周波数間測定及び／又はＲＡＴ間（無線アクセス技術）測定では、測定されるマルチキャリアが存在し、これらのキャリアは測定遅延について異なるタイミングを有してよい。したがって、本明細書で開示される様々な実施形態において、ＵＥの測定ギャップパターン（ＭＧＰ）は、複数のＭＧＲＰで指定されてよい。
【００９１】
様々な態様において、ｅＮＢは、静的ネットワーク構成又は半永続的構成などの複数の方法により、複数のＭＧＰ（例えば、それぞれが異なるＭＧＲＰに関連付けられる）をＵＥに対して構成することができ、ＵＥは、異なるキャリア（例えば、ＮＰＧキャリア又はＲＰＧキャリア）の測定用に、より短い又はより長い測定ギャップを要求することを開始することができる。
【００９２】
図９を参照すると、本明細書で説明される様々な態様による静的ネットワーク構成に基づいて、複数の異なるＭＧＰに関連付けられたマルチキャリアを測定するＵＥの例示的なシナリオを示す図が示されている。図９に示される例において、ｅＮＢは、Ｎ×４０のサブフレームの期間にわたり、測定ギャップを静的にスケジューリングすることができる。第１の部分（Ｎ１×４０のサブフレーム）では、測定ギャップは１０ｍｓ又は２０ｍｓのＭＧＲＰを有することができ、したがって、第１の部分はＮＰＧキャリアに用いることができる。
【００９３】
これに対して、第２の部分（Ｎ２×４０のサブフレーム、ここでＮ１＋Ｎ２＝Ｎである）では、測定ギャップは４０ｍｓ又は８０ｍｓのＭＧＲＰを有することができ、ＲＰＧキャリアに用いることができる。
【００９４】
図１０を参照すると、本明細書で説明される様々な態様による静的ネットワーク構成に基づいて、適応性のあるＭＧＰ切り替えの例示的な方法１０００を示す図が示されている。
【００９５】
１０１０で、ｅＮＢは、ＩｎｃＭｏｎのシナリオにおいて周波数間測定及び／又はＲＡＴ間測定を実行するＵＥに、２つのタイプのＭＧＰを構成することができる。ｅＮＢは、Ｎ×４０のサブフレームにわたり、２つのＭＧＰをスケジューリングすることができる。第１の期間（例えば、Ｎ１×４０のサブフレーム）では、１０ｍｓ又は２０ｍｓのＭＧＲＰを有するＭＧＰが使用されてよい。したがって、第１の期間は、ＮＰＧキャリアの測定に用いることができる。様々な態様において、この構成は、図１１で提供されるものと類似の例示的なＩＥを含むＲＲＣメッセージを介して生じ、本明細書で説明される様々な態様に従って、静的ネットワーク構成用の例示的なＭｅａｓＧａｐＣｏｎｆｉｇ  ＩＥを示すことができる。
【００９６】
１０２０で、測定対象（例えば、測定するキャリアのリスト）が、図１２で提供されるものと類似の例示的なＩＥに含まれ得る追加のＲＲＣシグナリングパラメータを介した優先順位でグループ化されてよく、本明細書で説明される様々な態様に従って、静的ネットワーク構成用の例示的なＭｅａｓＣｏｎｆｉｇ  ＩＥを示す。
【００９７】
１０３０で、ＵＥは、より短い測定ギャップ内のＮＰＧキャリアに対して測定を実行することができる。ＮＰＧグループのキャリアは、ｍｅａｓＯｂｊｅｃｔｓＰｒｉｏｒｉｔｙＬｉｓｔを介して指定される順序で、順次測定されてよい。優先順位上位のキャリアの測定遅延を短縮するために、優先順位上位のキャリアが正常に測定されるまで、優先順位下位のキャリアが測定されてよい。同様に、ＮＰＧキャリア用に確保された測定ギャップリソースは、ＮＰＧキャリアの全ての周波数間測定及びその測定結果のネットワークへの報告の後に、ＲＰＧキャリアにより用いられてよい。
【００９８】
１０４０で、ＵＥは、より長い測定ギャップ内のＲＰＧキャリアに対して測定を実行することができる。ＲＰＧグループのキャリアは、ｍｅａｓＯｂｊｅｃｔｓＰｒｉｏｒｉｔｙＬｉｓｔを介して指定される順序で測定されてよい。優先順位上位のキャリアの測定遅延を短縮するために、優先順位上位のキャリアが正常に測定されるまで、優先順位下位のキャリアが測定されてよい。
【００９９】
１０５０で、ＵＥは測定値を報告することができる。
【０１００】
実施形態の第２のセットでは、半永続的構成が、ＭＧＰを切り替えるＵＥ要求に基づいて使用されてよい。静的ネットワーク構成では、ＵＥが正常な測定を完了する継続時間が可変なので、ＵＥが良好なＳＩＮＲ（信号対干渉雑音比）状態によって測定を終了することができる場合、ＮＰＧキャリア用に確保された事前設定済みの期間は用いられないことがある。したがって、実施形態の第２のセットでは、測定遅延タイミングが変わった場合、ＵＥは異なるＭＧＰを開始することができる。
【０１０１】
図１３を参照すると、本明細書で説明される様々な態様による半永続的構成に基づいて、複数の異なるＭＧＰに関連付けられたマルチキャリアを測定するＵＥの例示的なシナリオを示す図が示されている。図１３において、ＵＥは、ＲＰＧセルの測定用に新たなＭＧＰを要求することができる。したがって、ＮＰＧ用に確保された測定ギャップリソースは、他のキャリアに用いられてよい。
【０１０２】
図１４を参照すると、本明細書で説明される様々な態様による半永続的構成に基づいて、適応性のあるＭＧＰ切り替えの例示的な方法１４００を示す図が示されている。
【０１０３】
１４１０で、ｅＮＢは、ＩｎｃＭｏｎ用の周波数間測定及び／又はＲＡＴ間測定を実行するＵＥに、２つのタイプのＭＧＰを構成することができる。様々な態様において、この構成は、図１５で提供されるものと類似の例示的なＩＥを含むＲＲＣメッセージを介して生じ、本明細書で説明される様々な態様に従って、半永続的構成用の例示的なＭｅａｓＧａｐＣｏｎｆｉｇ  ＩＥを示すことができる。
【０１０４】
１４２０で、測定対象（例えば、測定キャリアのリスト）は、図１６で提供されるものと類似の例示的なＩＥに含まれ得る新たなＲＲＣシグナリングパラメータによりグループ化されてよく、及び／又は優先順位を付けられてよく、本明細書で説明される様々な態様に従って、半永続的構成用の例示的なＭｅａｓＣｏｎｆｉｇ  ＩＥを示す。
【０１０５】
１４３０で、ＵＥは、より短い測定ギャップ内のＮＰＧキャリアに対して測定を実行することができる。ＮＰＧキャリアは、ｍｅａｓＯｂｊｅｃｔｓＰｒｉｏｒｉｔｙＬｉｓｔにより指定される順序で測定されてよい。優先順位上位のキャリアの測定遅延を短縮するために、優先順位上位のキャリアが正常に測定されるまで、優先順位下位のキャリアが測定されてよい。
【０１０６】
１４４０で、ＵＥは、ＮＰＧキャリアの全てを測定した後に、図１７で提供されるものと類似の例示的なＩＥを介してなど、ＲＲＣシグナリングを介して新たなＭＧＰ要求を開始することができ、本明細書で説明される様々な態様に従って、半永続的構成用の例示的なＲＲＣＣｏｎｎｅｃｔｉｏｎＲｅｅｓｔａｂｌｉｓｈｍｅｎｔＲｅｑｕｅｓｔ  ＩＥを示す。
【０１０７】
１４５０で、ｅＮＢは、「ｓｈｏｒｔｅｒＧａｐＦｌａｇ」をｔｒｕｅとして設定することで、新たなＭＧＰに関するＵＥの要求を確認することができる。
【０１０８】
１４６０で、ＵＥは、より長い測定ギャップ内のＲＰＧキャリアに対して測定を実行することができる。ＲＰＧセットのキャリアは、ｍｅａｓＯｂｊｅｃｔｓＰｒｉｏｒｉｔｙＬｉｓｔによって指定される順序で測定されてよい。優先順位上位のキャリアの測定遅延を短縮するために、優先順位上位のキャリアが正常に測定されるまで、優先順位下位のキャリアが測定されてよい。
【０１０９】
１４７０で、ＵＥは測定値を報告することができる。
【０１１０】
本明細書の例は、方法、方法の行為又はブロックを実行するための手段、機械（例えば、メモリ付きプロセッサ、特定用途向け集積回路（ＡＳＩＣ）、フィールドプログラマブルゲートアレイ（ＦＰＧＡ）など）により実行された場合、説明された実施形態及び例に従って、複数の通信技術を用いる同時通信用の方法の行為又は装置若しくはシステムの行為を機械に実行させる実行可能命令を含む少なくとも１つの機械可読媒体などの主題を含むことができる。
【０１１１】
例１は、進化型ＮｏｄｅＢ（ｅＮＢ）の中で使用されるように構成された装置であり、本装置はプロセッサ、送信機回路、及び受信機回路を備える。プロセッサは、１つ又は複数のキャリアの第１のセットに関連付けられた第１の測定ギャップパターンと、１つ又は複数のキャリアの第２のセットに関連付けられた別の第２の測定ギャップパターンとを決定し、第１の測定ギャップパターン及び第２の測定ギャップパターンに関連付けられたユーザ機器（ＵＥ）のスケジュールを決定し、第１のセット及び第２のセットの各キャリアに優先順位を割り当てるように構成される。送信機回路は、第１の測定ギャップパターン、第２の測定ギャップパターン、及びスケジュールを構成する１つ又は複数のメッセージをＵＥに送信し、割り当てられた優先順位並びに第１のセット及び第２のセットのキャリアを示す１つ又は複数のメッセージを送信するように構成される。受信機回路は、第１のセット又は第２のセットの少なくとも１つのキャリアに関連付けられたＵＥから、少なくとも１つのキャリア測定値を受信するように構成される。
【０１１２】
例２は例１の主題を含み、第１の測定ギャップパターンは、第１の測定ギャップ繰り返し周期（ＭＧＲＰ）に少なくとも部分的に基づいており、第２の測定ギャップパターンは、第２のＭＧＲＰに少なくとも部分的に基づいており、第２のＭＧＲＰは第１のＭＧＲＰと異なる。
【０１１３】
例３は例１の主題を含み、スケジュールは静的に構成される。
【０１１４】
例４は例１から３のいずれかの主題を含み、任意の特徴を含むか又は省略しており、スケジュールは、第１の測定ギャップパターンに関連付けられた第１の期間に続いて、第２の測定ギャップパターンに関連付けられた第２の期間を含む。
【０１１５】
例５は、例４のあらゆる変形の主題を含み、スケジュールはＮ×４０のサブフレーム長を有し、Ｎは正の整数である。
【０１１６】
例６は、例４のあらゆる変形の主題を含み、第１の期間はＮ１×４０のサブフレーム長を有し、Ｎ１は正の整数である。
【０１１７】
例７は、例４のあらゆる変形の主題を含み、第２の期間はＮ２×４０のサブフレーム長を有し、Ｎ２は正の整数である。
【０１１８】
例８は例１から３のいずれかの主題を含み、任意の特徴を含むか又は省略しており、１つ又は複数のキャリアの第１のセットは、測定ギャップ繰り返し周期（ＭＧＲＰ）に関連付けられた１つ又は複数の標準性能グループ（ＮＰＧ）キャリアを含む。
【０１１９】
例９は例１から３のいずれかの主題を含み、任意の特徴を含むか又は省略しており、１つ又は複数のキャリアの第１のセットは、測定ギャップ繰り返し周期（ＭＧＲＰ）に関連付けられた１つ又は複数の縮小性能グループ（ＲＰＧ）キャリアを含む。
【０１２０】
例１０は例１から７のいずれかの主題を含み、任意の特徴を含むか又は省略しており、１つ又は複数のキャリアの第１のセットは、測定ギャップ繰り返し周期（ＭＧＲＰ）に関連付けられた１つ又は複数の標準性能グループ（ＮＰＧ）キャリアを含む。
【０１２１】
例１１は例１から８のいずれかの主題を含み、任意の特徴を含むか又は省略しており、１つ又は複数のキャリアの第１のセットは、測定ギャップ繰り返し周期（ＭＧＲＰ）に関連付けられた１つ又は複数の縮小性能グループ（ＲＰＧ）キャリアを含む。
【０１２２】
例１２は例１の主題を含み、スケジュールは、第１の測定ギャップパターンに関連付けられた第１の期間に続いて、第２の測定ギャップパターンに関連付けられた第２の期間を含む。
【０１２３】
例１３は例１の主題を含み、１つ又は複数のキャリアの第１のセットは、測定ギャップ繰り返し周期（ＭＧＲＰ）に関連付けられた１つ又は複数の標準性能グループ（ＮＰＧ）キャリアを含む。
【０１２４】
例１４は例１の主題を含み、１つ又は複数のキャリアの第１のセットは、測定ギャップ繰り返し周期（ＭＧＲＰ）に関連付けられた１つ又は複数の縮小性能グループ（ＲＰＧ）キャリアを含む。
【０１２５】
例１５は命令を含む機械可読媒体であり、命令は実行された場合、進化型ＮｏｄｅＢ（ｅＮＢ）に、１つ又は複数の標準性能グループ（ＮＰＧ）キャリア用の第１の測定ギャップパターン、及び１つ又は複数の縮小性能グループ（ＲＰＧ）キャリア用の第２の測定ギャップパターンを決定させ、第１の測定ギャップパターン及び第２の測定ギャップパターン用にユーザ機器（ＵＥ）を構成させ、１つ又は複数のＮＰＧキャリア及び１つ又は複数のＲＰＧキャリア用の優先順位リストを決定させ、１つ又は複数のＮＰＧキャリア、１つ又は複数のＲＰＧキャリア、及び決定した優先順位リストを示す１つ又は複数のメッセージをＵＥに送信させ、第２の測定ギャップパターンを実装する要求をＵＥから受信させ、第２の測定ギャップパターンを実装する応答をＵＥに送信させる。
【０１２６】
例１６は例１５の主題を含み、優先順位リストは、第１の無線リソース制御（ＲＲＣ）メッセージを介して送信される。
【０１２７】
例１７は例１５の主題を含み、優先順位リストは、１つ又は複数のＮＰＧキャリア及び１つ又は複数のＲＰＧキャリアの測定順序を少なくとも部分的に定義する。
【０１２８】
例１８は例１５から１７のいずれかの主題を含み、任意の特徴を含むか又は省略しており、命令はさらに、実行された場合、ｅＮＢに、第１の測定ギャップパターンに従って１つ又は複数のＮＰＧキャリアを測定するかどうか、又は第２の測定ギャップパターンに従って１つ又は複数のＲＰＧキャリアを測定するかどうかを示すフラグでＵＥを構成させる。
【０１２９】
例１９は例１８のあらゆる変形の主題を含み、第２の測定ギャップパターンを実装するＵＥへの応答は、フラグの値の変化に関するインジケーションを含む。
【０１３０】
例２０は例１５から１７のいずれかの主題を含み、任意の特徴を含むか又は省略しており、要求は第２の無線リソース制御（ＲＲＣ）メッセージを介して受信される。
【０１３１】
例２１は例２０のあらゆる変形の主題を含み、第２の無線リソース制御（ＲＲＣ）メッセージは、ＵＥとｅＮＢとの間のＲＲＣ接続を再確立する要求を含む。
【０１３２】
例２２は例２０のあらゆる変形の主題を含み、第２の無線リソース制御（ＲＲＣ）メッセージは、ＵＥからの第２の測定ギャップパターンを実装する要求に関連付けられた専用情報要素（ＩＥ）を含む。
【０１３３】
例２３は例１５から１７のいずれかの主題を含み、任意の特徴を含むか又は省略しており、応答は第３の無線リソース制御（ＲＲＣ）メッセージを介して送信される。
【０１３４】
例２４は例１５から１９のいずれかの主題を含み、任意の特徴を含むか又は省略しており、要求は第２の無線リソース制御（ＲＲＣ）メッセージを介して受信される。
【０１３５】
例２５は例１５の主題を含み、命令はさらに、実行された場合、ｅＮＢに、第１の測定ギャップパターンに従って１つ又は複数のＮＰＧキャリアを測定するかどうか、又は第２の測定ギャップパターンに従って１つ又は複数のＲＰＧキャリアを測定するかどうかを示すフラグでＵＥを構成させる。
【０１３６】
例２６は例１５の主題を含み、要求は、第２の無線リソース制御（ＲＲＣ）メッセージを介して受信される。
【０１３７】
例２７は例１５の主題を含み、応答は、第３の無線リソース制御（ＲＲＣ）メッセージを介して送信される。
【０１３８】
例２８は、ユーザ機器（ＵＥ）の中で使用されるように構成された装置であり、受信機回路、プロセッサ、及び送信機回路を備える。受信機回路は、１つ又は複数のキャリアの第１のセット、１つ又は複数のキャリアの第２のセット、第１のセットに関連付けられた第１の測定ギャップパターン、第２のセットに関連付けられた第２の測定ギャップパターン、並びに、第１の測定ギャップパターン及び第２の測定ギャップパターンに関連付けられたスケジュールを示す１つ又は複数のメッセージを、進化型ＮｏｄｅＢ（ｅＮＢ）から受信するように構成され、受信機回路はさらに、スケジュールの第１の部分の間に、第１の測定ギャップパターンに基づいて第１のセットの少なくとも１つのキャリアを測定し、スケジュールの第２の部分の間に、第２の測定ギャップパターンに基づいて第２のセットの少なくとも１つのキャリアを測定するように構成される。プロセッサは、受信機回路に動作可能に結合され、受信機回路により測定されるキャリアごとにダウンリンク（ＤＬ）チャネルメトリックを計算するように構成される。送信機回路は、計算されたＤＬチャネルメトリックをｅＮＢに送信するように構成される。
【０１３９】
例２９は例２８の主題を含み、第１の測定ギャップパターンは、第１の測定ギャップ繰り返し周期（ＭＧＲＰ）に関連付けられており、第２の測定ギャップパターンは、第２のＭＧＲＰに関連付けられており、第１のＭＧＲＰは第２のＭＧＲＰより短い。
【０１４０】
例３０は例２８の主題を含み、スケジュールの第１の部分はＮ１×４０のサブフレーム長を有し、スケジュールの第２の部分はＮ２×４０のサブフレーム長を有し、スケジュールは（Ｎ１＋Ｎ２）×４０のサブフレーム長を有する。
【０１４１】
例３１は例２８から３０のいずれかの主題を含み、任意の特徴を含むか又は省略しており、受信機回路は、第１のセットの少なくとも１つのキャリア及び第２のセットの少なくとも１つのキャリアを、ｅＮＢから受信した優先順位リストに少なくとも部分的に基づく順序で測定するように構成される。
【０１４２】
例３２は例２８の主題を含み、受信機回路は、第１のセットの少なくとも１つのキャリア及び第２のセットの少なくとも１つのキャリアを、ｅＮＢから受信した優先順位リストに少なくとも部分的に基づく順序で測定するように構成される。
【０１４３】
例３３は命令を備えた機械可読媒体であり、命令は実行された場合、ユーザ機器（ＵＥ）に、１つ又は複数のキャリアの第１のセットに関連付けられた第１の測定ギャップパターン、及び１つ又は複数のキャリアの第２のセットに関連付けられた第２の測定ギャップパターンを定義する１つ又は複数の構成メッセージを受信させ、第１のセットのキャリアごとに、及び第２のセットのキャリアごとに当該キャリアの関連付けられた優先順位を示す、１つ又は複数のメッセージを受信させ、第１のセットのキャリアに関連付けられた優先順位に少なくとも部分的に基づく順序で測定される第１のセットのキャリアを、第１の測定ギャップパターンに従って測定させ、第２の測定ギャップパターンを実装する要求を送信させ、第２の測定ギャップパターンの実装を示すメッセージを受信させ、第２のセットのキャリアに関連付けられた優先順位に少なくとも部分的に基づく順序で測定される第２のセットのキャリアを、第２の測定ギャップパターンにより示される期間の間に測定させ、測定されたキャリアごとにダウンリンク（ＤＬ）チャネルメトリックを計算させ、計算されたＤＬチャネルメトリックを送信させる。
【０１４４】
例３４は例３３の主題を含み、要求は、正常に測定された第１のセットの各キャリアに少なくとも部分的に基づいて送信される。
【０１４５】
例３５は例３３又は３４の主題を含み、任意の特徴を含むか又は省略しており、第１のセット又は第２のセットの１つ又は複数の優先順位下位のキャリアは、第１のセット又は第２のセットの優先順位上位のキャリアが正常に測定されるまで測定される。
【０１４６】
例３６は例３３の主題を含み、第１のセット又は第２のセットの１つ又は複数の優先順位下位のキャリアは、第１のセット又は第２のセットの優先順位上位のキャリアが正常に測定されるまで測定される。
【０１４７】
例３７は、進化型ＮｏｄｅＢ（ｅＮＢ）の中で使用されるように構成された装置であり、本装置は、処理手段、送信手段、及び受信手段を備える。処理手段は、１つ又は複数のキャリアの第１のセットに関連付けられた第１の測定ギャップパターンと、１つ又は複数のキャリアの第２のセットに関連付けられた別の第２の測定ギャップパターンとを決定し、第１の測定ギャップパターン及び第２の測定ギャップパターンに関連付けられたユーザ機器（ＵＥ）のスケジュールを決定し、第１のセット及び第２のセットの各キャリアに優先順位を割り当てるように構成される。送信手段は、第１の測定ギャップパターン、第２の測定ギャップパターン、及びスケジュールを構成する１つ又は複数のメッセージをＵＥに送信し、割り当てられた優先順位並びに第１のセット及び第２のセットのキャリアを示す１つ又は複数のメッセージを送信するように構成される。受信手段は、第１のセット又は第２のセットの少なくとも１つのキャリアに関連付けられたＵＥから、少なくとも１つのキャリア測定値を受信するように構成される。
【０１４８】
例３８は、ユーザ機器（ＵＥ）の中で使用されるように構成された装置であり、受信手段、処理手段、及び送信手段を備える。受信手段は、１つ又は複数のキャリアの第１のセット、１つ又は複数のキャリアの第２のセット、第１のセットに関連付けられた第１の測定ギャップパターン、第２のセットに関連付けられた第２の測定ギャップパターン、並びに、第１の測定ギャップパターン及び第２の測定ギャップパターンに関連付けられたスケジュールを示す１つ又は複数のメッセージを、進化型ＮｏｄｅＢ（ｅＮＢ）から受信するように構成され、受信手段はさらに、スケジュールの第１の部分の間に第１の測定ギャップパターンに基づいて第１のセットの少なくとも１つのキャリアを測定し、スケジュールの第２の部分の間に第２の測定ギャップパターンに基づいて第２のセットの少なくとも１つのキャリアを測定するように構成される。処理手段は、受信手段に動作可能に結合され、処理手段により測定されるキャリアごとに、ダウンリンク（ＤＬ）チャネルメトリックを計算するように構成される。送信手段は、計算されたＤＬチャネルメトリックをｅＮＢに送信するように構成される。
【０１４９】
例示された本開示の実施形態に関する上記説明は、要約書に説明されていることを含めて、包括的であることも、開示された実施形態をまさにその開示された形態に限定することも、意図されていない。特定の実施形態及び例が、例示を目的として本明細書に説明されるが、当業者が認識できるように、そのような実施形態及び例の範囲内とみなされる様々な変更が可能である。
【０１５０】
この点に関して、開示された主題が様々な実施形態及び対応する図に関連して説明されたが、適用可能な場合、他の類似の実施形態が用いられてよく、又は、開示された主題の同じ機能、類似の機能、代替の機能、若しくは置換の機能を実行するために、開示された主題から逸脱することなく、説明された実施形態に対して変更及び追加が行われてよいことを理解されたい。したがって、開示された主題は、本明細書で説明されるどの単一の実施形態にも限定されるべきではなく、むしろ、以下の添付の特許請求の範囲に従った規模及び範囲で解釈されるべきである。
【０１５１】
上述したコンポーネント又は構造（アセンブリ、デバイス、回路、システムなど）により実行される様々な機能に特に関連して、そのようなコンポーネントを説明するのに用いられる用語（「手段」への言及を含む）は、別途示されない限り、本明細書に示された例示的な実装の機能を実行する開示された構造に構造上は均等でなくても、説明されたコンポーネントの指定された（例えば、機能的に均等な）機能を実行する任意のコンポーネント又は構造に対応することが意図されている。さらに、特定の特徴が、いくつかの実装のうちの１つだけに対して開示されている場合があるが、そのような特徴は、任意の所与の又は特定の用途に望まれ、有利であってよいように、他の実装の１つ又は複数の他の特徴と組み合わされてよい。
【図１】
2018517322.tif 000003
【図２】
2018517322.tif 000004
【図３】
2018517322.tif 000005
【図４】
2018517322.tif 000006
【図５】
2018517322.tif 000007
【図６】
2018517322.tif 000008
【図７】
2018517322.tif 000009
【図８】
2018517322.tif 000010
【図９】
2018517322.tif 000011
【図１０】
2018517322.tif 000012
【図１１】
2018517322.tif 000013
【図１２】
2018517322.tif 000014
【図１３】
2018517322.tif 000015
【図１４】
2018517322.tif 000016
【図１５】
2018517322.tif 000017
【図１６】
2018517322.tif 000018
【図１７】
2018517322.tif 000019
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
進化型ＮｏｄｅＢ（ｅＮＢ）の中で使用される装置であって、
１つ又は複数のキャリアの第１のセットに関連付けられた第１の測定ギャップパターン、及び１つ又は複数のキャリアの第２のセットに関連付けられた別の第２の測定ギャップパターンを決定し、
前記第１の測定ギャップパターン及び前記第２の測定ギャップパターンに関連付けられたユーザ機器（ＵＥ）のスケジュールを決定し、
前記第１のセット及び前記第２のセットの各キャリアに優先順位を割り当てる
プロセッサと、
前記第１の測定ギャップパターン、前記第２の測定ギャップパターン、及び前記スケジュールを構成する１つ又は複数のメッセージを前記ＵＥに送信し、割り当てられた前記優先順位、並びに前記第１のセット及び前記第２のセットの前記１つ又は複数のキャリアを示す１つ又は複数のメッセージを送信する送信機回路と、
前記第１のセット又は前記第２のセットの少なくとも１つのキャリアに関連付けられた前記ＵＥから、少なくとも１つのキャリア測定値を受信する受信機回路と
を備える装置。
【請求項２】
前記第１の測定ギャップパターンは、第１の測定ギャップ繰り返し周期（ＭＧＲＰ）に少なくとも部分的に基づいており、前記第２の測定ギャップパターンは、第２のＭＧＲＰに少なくとも部分的に基づいており、前記第２のＭＧＲＰは前記第１のＭＧＲＰと異なる、請求項１に記載の装置。
【請求項３】
前記スケジュールは静的に構成される、請求項１に記載の装置。
【請求項４】
前記スケジュールは、前記第１の測定ギャップパターンに関連付けられた第１の期間に続いて、前記第２の測定ギャップパターンに関連付けられた第２の期間を含む、請求項１から３のいずれか一項に記載の装置。
【請求項５】
前記スケジュールは、Ｎ×４０のサブフレーム長を有し、Ｎは正の整数である、請求項４に記載の装置。
【請求項６】
前記第１の期間は、Ｎ１×４０のサブフレーム長を有し、Ｎ１は正の整数である、請求項４に記載の装置。
【請求項７】
前記第２の期間は、Ｎ２×４０のサブフレーム長を有し、Ｎ２は正の整数である、請求項４に記載の装置。
【請求項８】
１つ又は複数のキャリアの前記第１のセットは、測定ギャップ繰り返し周期（ＭＧＲＰ）に関連付けられた１つ又は複数の標準性能グループ（ＮＰＧ）キャリアを含む、請求項１から３のいずれか一項に記載の装置。
【請求項９】
１つ又は複数のキャリアの前記第１のセットは、測定ギャップ繰り返し周期（ＭＧＲＰ）に関連付けられた１つ又は複数の縮小性能グループ（ＲＰＧ）キャリアを含む、請求項１から３のいずれか一項に記載の装置。
【請求項１０】
１つ又は複数の標準性能グループ（ＮＰＧ）キャリア用の第１の測定ギャップパターン、及び１つ又は複数の縮小性能グループ（ＲＰＧ）キャリア用の第２の測定ギャップパターンを決定する手順と、
前記第１の測定ギャップパターン及び前記第２の測定ギャップパターン用にユーザ機器（ＵＥ）を構成する手順と、
前記１つ又は複数のＮＰＧキャリア及び前記１つ又は複数のＲＰＧキャリア用の優先順位リストを決定する手順と、
前記１つ又は複数のＮＰＧキャリア、前記１つ又は複数のＲＰＧキャリア、及び決定した前記優先順位リストを示す１つ又は複数のメッセージを前記ＵＥに送信する手順と、
前記第２の測定ギャップパターンを実装する要求を前記ＵＥから受信する手順と、
前記第２の測定ギャップパターンを実装する応答を前記ＵＥに送信する手順と
を進化型ＮｏｄｅＢ（ｅＮＢ）に実行させるためのプログラム。
【請求項１１】
前記優先順位リストは、第１の無線リソース制御（ＲＲＣ）メッセージを介して送信される、請求項１０に記載のプログラム。
【請求項１２】
前記優先順位リストは、前記１つ又は複数のＮＰＧキャリア及び前記１つ又は複数のＲＰＧキャリアの測定順序を少なくとも部分的に定義する、請求項１０に記載のプログラム。
【請求項１３】
前記ｅＮＢにさらに、前記第１の測定ギャップパターンに従って前記１つ又は複数のＮＰＧキャリアを測定するかどうか、又は前記第２の測定ギャップパターンに従って前記１つ又は複数のＲＰＧキャリアを測定するかどうかを示すフラグで前記ＵＥを構成させる、請求項１０から１２のいずれか一項に記載のプログラム。
【請求項１４】
前記第２の測定ギャップパターンを実装する前記ＵＥへの前記応答は、前記フラグの値の変化に関するインジケーションを含む、請求項１３に記載のプログラム。
【請求項１５】
前記要求は、第２の無線リソース制御（ＲＲＣ）メッセージを介して受信される、請求項１０から１２のいずれか一項に記載のプログラム。
【請求項１６】
前記第２の無線リソース制御（ＲＲＣ）メッセージは、前記ＵＥと前記ｅＮＢとの間のＲＲＣ接続を再確立する要求を含む、請求項１５に記載のプログラム。
【請求項１７】
前記第２の無線リソース制御（ＲＲＣ）メッセージは、前記ＵＥからの前記第２の測定ギャップパターンを実装する前記要求に関連付けられた専用情報要素（ＩＥ）を含む、請求項１５に記載のプログラム。
【請求項１８】
前記応答は、第３の無線リソース制御（ＲＲＣ）メッセージを介して送信される、請求項１０から１２のいずれか一項に記載のプログラム。
【請求項１９】
ユーザ機器（ＵＥ）の中で使用される装置であって、
１つ又は複数のキャリアの第１のセット、１つ又は複数のキャリアの第２のセット、前記第１のセットに関連付けられた第１の測定ギャップパターン、前記第２のセットに関連付けられた第２の測定ギャップパターン、並びに前記第１の測定ギャップパターン及び前記第２の測定ギャップパターンに関連付けられたスケジュールを示す１つ又は複数のメッセージを、進化型ＮｏｄｅＢ（ｅＮＢ）から受信する受信機回路であって、さらに、前記スケジュールの第１の部分の間に、前記第１の測定ギャップパターンに基づいて前記第１のセットの少なくとも１つのキャリアを測定し、前記スケジュールの第２の部分の間に、前記第２の測定ギャップパターンに基づいて前記第２のセットの少なくとも１つのキャリアを測定する受信機回路と、
前記受信機回路に動作可能に結合され、前記受信機回路により測定されるキャリアごとにダウンリンク（ＤＬ）チャネルメトリックを計算するプロセッサと、
計算された前記ＤＬチャネルメトリックを前記ｅＮＢに送信する送信機回路と
を備える装置。
【請求項２０】
前記第１の測定ギャップパターンは、第１の測定ギャップ繰り返し周期（ＭＧＲＰ）に関連付けられており、前記第２の測定ギャップパターンは、第２のＭＧＲＰに関連付けられており、前記第１のＭＧＲＰは前記第２のＭＧＲＰより短い、請求項１９に記載の装置。
【請求項２１】
前記スケジュールの前記第１の部分はＮ１×４０のサブフレーム長を有し、前記スケジュールの前記第２の部分はＮ２×４０のサブフレーム長を有し、前記スケジュールは（Ｎ１＋Ｎ２）×４０のサブフレーム長を有する、請求項１９に記載の装置。
【請求項２２】
前記受信機回路は、前記第１のセットの前記少なくとも１つのキャリア及び前記第２のセットの前記少なくとも１つのキャリアを、前記ｅＮＢから受信した優先順位リストに少なくとも部分的に基づく順序で測定する、請求項１９から２１のいずれか一項に記載の装置。
【請求項２３】
１つ又は複数のキャリアの第１のセットに関連付けられた第１の測定ギャップパターン、及び１つ又は複数のキャリアの第２のセットに関連付けられた第２の測定ギャップパターンを定義する１つ又は複数の構成メッセージを受信する手順と、
前記第１のセットのキャリアごとに、及び前記第２のセットのキャリアごとに当該キャリアの関連付けられた優先順位を示す、１つ又は複数のメッセージを受信する手順と、
前記第１のセットのキャリアに関連付けられた前記優先順位に少なくとも部分的に基づく順序で測定される前記第１のセットの前記キャリアを、前記第１の測定ギャップパターンに従って測定する手順と、
前記第２の測定ギャップパターンを実装する要求を送信する手順と、
前記第２の測定ギャップパターンの実装を示すメッセージを受信する手順と、
前記第２のセットのキャリアに関連付けられた前記優先順位に少なくとも部分的に基づく順序で測定される前記第２のセットの前記キャリアを、前記第２の測定ギャップパターンにより示される期間の間に測定する手順と、
測定されたキャリアごとにダウンリンク（ＤＬ）チャネルメトリックを計算する手順と、
計算された前記ＤＬチャネルメトリックを送信する手順と
をユーザ機器（ＵＥ）に実行させるためのプログラム。
【請求項２４】
前記要求は、正常に測定された前記第１のセットの各キャリアに少なくとも部分的に基づいて送信される、請求項２３に記載のプログラム。
【請求項２５】
前記第１のセット又は前記第２のセットの１つ又は複数の優先順位下位のキャリアは、前記第１のセット又は前記第２のセットの優先順位上位のキャリアが正常に測定されるまで測定される、請求項２３又は２４に記載のプログラム。
【請求項２６】
請求項１０から１８及び請求項２３から２５のいずれか一項に記載のプログラムを格納する、
コンピュータ可読記憶媒体。
【国際調査報告】
2018517322.tif 000020
2018517322.tif 000021
2018517322.tif 000022
2018517322.tif 000023
2018517322.tif 000024
2018517322.tif 000025
2018517322.tif 000026